(57)【要約】携帯電話機４を着脱可能に保持するための保持台３であって、保持台本体１０と、保持台本体１０に設けられ、携帯電話機４を保持する保持位置において携帯電話機４と接続される信号端子と、プリント基板３１の表面に取り付けられ、信号端子と接続されかつ他の電子機器と接続するためのコネクタＣＮ１とを有し、プリント基板３１は、コネクタＣＮ１を下側に保持した状態でその接続口が保持台本体１０の背面側ＥＧに臨むように、かつ、前面側ＺＧの端縁部が背面側ＥＧの端縁部よりもオフセット量ＦＳ１分低くなった姿勢で、保持台本体１０の底受け部１１に保持されており、オフセット量ＦＳ１はコネクタＣＮ１の厚みよりも小さく設定されている。
2009078063.tif 000002
【特許請求の範囲】
【請求項１】
電子機器を着脱可能に保持するための保持台であって、
保持台本体と、
前記保持台本体に設けられ、前記電子機器を保持する保持位置において前記電子機器と接続される信号端子と、
プリント基板の表面に取り付けられ、前記信号端子と接続されかつ他の電子機器と接続するための第１のコネクタと、
を有し、
前記プリント基板は、前記第１のコネクタを下側に保持した状態で当該第１のコネクタの接続口が前記保持台本体の背面側に臨むように、かつ、前面側の端縁部が背面側の端縁部よりもオフセット量分低くなった姿勢で、前記保持台本体の底部に保持されており、
前記オフセット量は前記第１のコネクタの厚みよりも小さく設定されている、
ことを特徴とする保持台。
【請求項２】
前記保持台本体は、その背面部に前記プリント基板に対して垂直な壁面を有しており、
前記第１のコネクタの接続口は、前記壁面に設けられた開口部に開口する、
請求項１記載の保持台。
【請求項３】
前記プリント基板には、前記第１のコネクタが取り付けられた表面とは反対側の表面の同じ位置に、第２のコネクタが取り付けられており、
前記第２のコネクタの接続口は、前記第１のコネクタの接続口の上方において前記壁面に設けられた開口部に開口する、
請求項２記載の保持台。
【請求項４】
前記信号端子は、前記プリント基板に取り付けられている、
請求項３記載の保持台。
【請求項５】
前記第１のコネクタはＵＳＢ−Ａ端子であり、前記第２のコネクタはＵＳＢ−Ｂ端子である、
請求項３記載の保持台。
【請求項６】
前記電子機器は携帯電話機であり、
請求項１記載の保持台と、
前記保持台に保持された携帯電話機と、
からなることを特徴とする情報処理システム。
【請求項７】
前記第２のコネクタの接続口に前記他の電子機器が接続されたときに、
前記他の電子機器は、主装置として動作し、
前記携帯電話機は、従装置としてかつストレージ装置または通信装置として動作する、
請求項６記載の情報処理システム。
【請求項８】
前記第１のコネクタの接続口に前記他の電子機器が接続されたときに、
前記携帯電話機は、主装置として動作し、
前記他の電子機器は、従装置としてかつ入力装置、出力装置、またはストレージ装置として動作する、
請求項６記載の情報処理システム。
【発明の詳細な説明】
【技術分野】
【０００１】
本発明は、携帯電話機などの電子機器を着脱可能に保持するための保持台、および、携帯電話機と保持台とによって構成される情報処理システムに関する。
【背景技術】
【０００２】
近年において、携帯電話機など電子機器の一層の薄型化、高機能化が図られている。これにともなって、携帯電話機を保持する保持台についても、携帯電話機の機能を活用しまたは拡張できるような工夫がなされている。このような保持台は、卓上ホルダまたはクレードルなどと呼称されることもある。【０００３】
従来において、保持台には充電用のコネクタが設けられ、このコネクタに充電電源装置からのコネクタを接続しておくことによって、保持台に保持された携帯電話機の電池を充電することができる。【０００４】
また、日本で公開された特開２００６−３０３８５９には、外部周辺機器を接続するための通信用のＵＳＢ端子、外部から電力を供給するための電源端子、供給された電力によって携帯電話機を充電する充電制御部、および、ホスト機能を有するＵＳＢ制御部を設けた保持台が開示されている。この従来の保持台によると、パソコンを用いなくても外部周辺機器と携帯電話機とをＵＳＢ接続し、外部周辺機器と携帯電話機との間でデータ通信を行うことが可能である。【０００５】
また、従来より、ＵＳＢ（Universal Serial Bus）には周辺機器同士をつなぐためのＵＳＢ−ＯＴＧ（On-The-Go ）という規格があり、携帯電話機にもＵＳＢ−ＯＴＧの機能を有したチップが組み込まれたものがある。【０００６】
ところで、保持台に設けられる通信用のコネクタなどをどのように取り付けるかという問題がある。通常、コネクタなどの電子部品は、その主面が保持台の底面と平行または垂直となるように取り付けられる。また、コネクタをプリント基板に取り付けることも行われるが、その場合には、コネクタを取り付けたプリント基板を保持台にどのように取り付けるかという問題が生じる。この場合にも、通常、プリント基板の表面が保持台の底面と平行または垂直となるように取り付けられる。【０００７】
しかし、携帯電話機の小型化とともに、保持台の小型化も必要であるため、コネクタやプリント基板の取り付けについて工夫が必要である。
【発明の開示】
【０００８】
本発明は、上述の問題に鑑みてなされたもので、他の電子機器と通信を行うことが可能な保持台において、そのためのコネクタおよびプリント基板の取り付け方法に改良を加えて小型化を図ることを目的とする。
【０００９】
本発明に係る一実施形態の保持台は、電子機器を着脱可能に保持するための保持台であって、保持台本体と、前記保持台本体に設けられ、前記電子機器を保持する保持位置において前記電子機器と接続される信号端子と、プリント基板の表面に取り付けられ、前記信号端子と接続されかつ他の電子機器と接続するための第１のコネクタと、を有し、前記プリント基板は、前記第１のコネクタを下側に保持した状態で当該第１のコネクタの接続口が前記保持台本体の背面側に臨むように、かつ、前面側の端縁部が背面側の端縁部よりもオフセット量分低くなった姿勢で、前記保持台本体の底部に保持されており、前記オフセット量は前記第１のコネクタの厚みよりも小さく設定される。
【００１０】
前記保持台本体は、その背面部に前記プリント基板に対して垂直な壁面を有するようにし、前記第１のコネクタの接続口は、前記壁面に設けられた開口部に開口するようにしてもよい。
【００１１】
第１のコネクタを取り付けたプリント基板を、第１のコネクタを下側に保持した状態で、第１のコネクタの接続口が保持台本体の背面側に臨むようにして底部に対し斜めに保持することにより、底部の空間の有効利用が図られ、保持台の小型化が図られる。
【図面の簡単な説明】
【００１２】
【図１】本発明に係る情報処理システムを斜め正面から見た斜視図である。
【図２】情報処理システムを斜め背面から見た斜視図である。
【図３】携帯電話機を背面側から見た斜視図である。
【図４】保持台の内部構造を示す斜視図である。
【図５】保持台の内部構造を示す斜視図である。
【図６】情報処理システムの右側面断面図である。
【図７】情報処理システムの右側面断面図である。
【図８】情報処理システムにおける信号端子の状態を示す斜視図である。
【図９】情報処理システムの平面図である。
【図１０】情報処理システムの平面図である。
【図１１】保持台のＵＳＢコネクタの近傍を拡大して示す斜視図である。
【図１２】保持台の背面側から見た内部構造を示す斜視図である。
【図１３】保持台の背面側から見た内部構造を示す斜視図である。
【図１４】保持台にプリント基板を取り付けた状態を説明するための図である。
【図１５】比較のためのプリント基板の取り付け方法を説明するための図である。
【図１６】保持台の内部回路を示す回路図である。
【図１７】情報処理システムの回路を機能的に示すブロック図である。
【発明を実施するための最良の形態】
【００１３】
図１〜図３において、本実施形態の情報処理システム１は、保持台３および携帯電話機４からなる。本実施形態において、電子機器である携帯電話機４は、外形がほぼ直方体状であって、送話器側（固定側）ＳＧと受話器側（可動側）ＪＧとがスライド機構によって連結されたスライド式のものである。携帯電話機４には、底部ＴＥに充電用の電極ＴＮ５Ｋ，６Ｋが設けられ、背部ＨＥに通信用の電極ＴＮ１Ｋ〜４Ｋが設けられている。【００１４】
保持台３は、携帯電話機４を、携帯電話機４がその背部に向かって傾斜した姿勢で着脱可能に保持する。保持台３のほぼ全体を覆って外形を形成する保持台本体１０は、合成樹脂材料の成形によって製作されている。【００１５】
保持台本体１０は、携帯電話機４の底部ＴＥを支持する底受け部１１、背部ＨＥを支持する背受け部１２、および、両側面部ＳＥを挟んで支持するアーム部１３を有する。【００１６】
保持台３は、携帯電話機４を保持台本体１０内に単に入れた場合には、つまり携帯電話機４の自由状態においては、背部ＨＥは背受け部１２から浮いた状態であってかつアーム部１３がその先端部分において背部ＨＥを支持する。そして、ユーザが携帯電話機４をその背部ＨＥに向かって押し込むことにより、アーム部１３が撓んで両側面部ＳＥがアーム部１３に嵌まり込み、かつ背部ＨＥが背受け部１２に当接して支持される。【００１７】
なお、携帯電話機４がその自由状態において保持台３で保持される位置（図７に示す位置）を「第１の保持位置ＨＴ１」と記載し、携帯電話機４の両側面部ＳＥがアーム部１３に嵌まり込んで保持される位置（図６に示す位置）を「第２の保持位置ＨＴ２」と記載する。【００１８】
充電用の電極ＴＮ５Ｋ，６Ｋは、第１の保持位置ＨＴ１および第２の保持位置ＨＴ２のいずれにおいても、保持台３の電源端子ＴＮ５Ｈ，６Ｈと接触して電気的に接続される。通信用の電極ＴＮ１Ｋ〜４Ｋは、第１の保持位置ＨＴ１においては、信号端子ＴＮ１Ｈ〜４Ｈと接触することなく離間し、したがって電気的に接続されない（図７参照）。しかし、第２の保持位置ＨＴ２においては、信号端子ＴＮ１Ｈ〜４Ｈと接触して電気的に接続される（図６参照）。【００１９】
図４〜図１３をも参照して、保持台３には、信号端子ＴＮ１Ｈ〜４Ｈと接続されかつ他の電子機器に対して互いに排他的に接続するための複数種類のコネクタＣＮ１，２、複数種類のコネクタＣＮ１，２の接続口を開閉するようかつ１種類のみのコネクタＣＮ１またはＣＮ２の接続口を選択的に開口するように移動可能に設けられた蓋部材４１、および、蓋部材４１による開口位置を検出するスイッチＳＷ２が設けられている。【００２０】
つまり、蓋部材４１は、スライド移動することによって２個のコネクタＣＮ１，２の接続口を排他的に開口するように設けられている。換言すれば、蓋部材４１は、使用可能なコネクタＣＮ以外の接続口を遮断するシャッタの役割を果たす。【００２１】
スイッチＳＷ２は、一方のコネクタＣＮ１の接続口が開口したときにオフし、他方のコネクタＣＮ２の接続口が開口したときにオンする。【００２２】
コネクタＣＮ１，ＣＮ２は、プリント基板３１の表面に取り付けられ、信号端子ＴＮ２Ｈ〜４Ｈと接続される。コネクタＣＮ２は、コネクタＣＮ１が取り付けられた表面とは反対側の表面の同じ位置に取り付けられる。【００２３】
本実施形態において、コネクタＣＮ１はＵＳＢ−Ａ端子であり、コネクタＣＮ２はＵＳＢ−Ｂ端子である。ＵＳＢ−Ａ端子はホスト側に設けられ、ＵＳＢ−Ｂ端子はスレーブ側（周辺機器側またはデバイス側）に設けられるものである。また、ミニＵＳＢ端子を用いてもよい。なお、コネクタＣＮ１を、「第１のコネクタＣＮ１」「一方のコネクタＣＮ１」と記載することがあり、コネクタＣＮ２を、「第２のコネクタＣＮ２」「他方のコネクタＣＮ２」と記載することがある。【００２４】
プリント基板３１は、コネクタＣＮ１を下側に保持した状態で、当該コネクタＣＮ１の接続口が保持台本体１０の背面側ＥＧに臨むように、かつ、前面側ＺＧの端縁部が背面側ＥＧの端縁部よりもオフセット量ＦＳ１分低くなった姿勢で、保持台本体１０の底受け部１１に保持されている。つまり、底受け部１１の内部には、プリント基板３１を保持するための爪部などが設けられており、プリント基板３１はそれらの爪部によって把持されまたは爪部に当接することによって、位置決めされかつ保持されている。【００２５】
そして、図６、図７、および図１４に示されるように、プリント基板３１は、後端縁部が前端縁部よりもオフセット量ＦＳ１だけ高い斜め姿勢で取り付けられている。なお、オフセット量ＦＳ１は、コネクタＣＮ１の厚み（縦方向の寸法）よりも小さく設定されている。【００２６】
図１４に示すように、プリント基板３１は、底面（底部）１１１に対し、オフセット量ＦＳ１だけ前面側ＺＧに傾いて取り付けられており、これによって、前面側ＺＧにおけるプリント基板３１の下部の無駄な空間が低減され、それだけ空間の有効利用が図られる。【００２７】
因みに、図１５に示すように、プリント基板３１ｊを底面１１１ｊに対して平行となるように設けた場合には、前面側ＺＧのプリント基板３１ｊの下部に大きな無駄な空間ができ、空間の利用効率が悪くなって保持台本体１０ｊが大型化してしまう。【００２８】
図１４に示す本実施形態では、底受け部１１の高さはオフセット量ＦＳ１に相当する寸法だけ小さくなり、図１５に示す底受け部１１ｊと比べてもオフセット量ＦＳ１とほぼ同じ寸法ＦＳ２だけ高さが低くなる。【００２９】
このように、本実施形態の保持台３では、底受け部１１が低くなるので、重心位置が下がり、安定である。特に、保持台３は、携帯電話機４を底受け部１１に投げ入れることによって充電できるので、投げ入れたときに保持台３が倒れないように重心を低くしておくことは重要でな点である。【００３０】
上に述べたように、２個のコネクタＣＮ１，２は、それぞれの接続口がほぼ同じ平面上において同じ方向を向いて配置される。コネクタＣＮ２の接続口は、コネクタＣＮ１の接続口の上方において開口する。一方のコネクタＣＮ１の接続口の蓋部材４１のスライド方向（上下方向）に沿った寸法は、他方のコネクタＣＮ２のそれよりも大きい。【００３１】
プリント基板３１には、コネクタＣＮ２が取り付けられた側と同じ表面に、コネクタＣＮ３、およびスイッチＳＷ１，２が取り付けられている。また、上に述べた信号端子ＴＮ１Ｈ〜４Ｈおよび電源端子ＴＮ５Ｈ，６Ｈも、プリント基板３１の同じ表面に取り付けられている。コネクタＣＮ３は、スイッチＳＷ１を介して、電源端子ＴＮ５Ｈ，６Ｈと接続されている。なお、これらの部品は、半田付けによって取り付けられている。【００３２】
信号端子ＴＮ１Ｈ〜４Ｈおよび電源端子ＴＮ５Ｈ，６Ｈは、いずれも弾性を有した金属製の線材の表面に金メッキを施し、それを所定の形状に曲げて成形したものである。【００３３】
保持台本体１０は、その背面部に、プリント基板３１に対して垂直な壁面１０１を有しており、コネクタＣＮ１，２の接続口は、壁面１０１に設けられた開口部１０２に開口する。また、コネクタＣＮ３は、壁面１０１に設けられた開口部１０３に開口する。【００３４】
図１１に示されるように、蓋部材４１は、保持台本体１０の背面部の壁面１０１に設けられた開口部１０２に対し、スライド可能に設けられている。【００３５】
蓋部材４１は、合成樹脂材料から一体的に成形されており、図１２によく示されるように、矩形の平板状の本体４１１、本体４１１の表面から突出して設けられたつまみ部４１２、上寄り中央部に設けられた開口部４１３、裏面側に設けられてスイッチＳＷ２をオンオフするドグ片４１４を有する。【００３６】
蓋部材４１は、壁面１０１の内面側に設けられた図示しないスライド溝に嵌まり込んで上下方向にスライド移動可能となっている。蓋部材４１は、図１１（Ａ）に示すように、開口部１０２の下端位置にあるときは、開口部４１３がコネクタＣＮ２の接続口の正面に配置され、これによって、外部からはコネクタＣＮ２のみへの接続が可能となる。このとき、ドグ片４１４はスイッチＳＷ２を上から押して動作させ、これによりスイッチＳＷ２はオンとなる（図４、図１２参照）。【００３７】
また、蓋部材４１が図１１（Ｂ）に示すように開口部１０２の上端位置にあるときは、開口部１０２の下半分が開口し、これによってコネクタＣＮ１の接続口が開口され、外部からはコネクタＣＮ１のみへの接続が可能となる。このとき、ドグ片４１４はスイッチＳＷ２から離れ、スイッチＳＷ２はオフとなる（図５、図１３参照）。【００３８】
ところで、携帯電話機４を底受け部１１に入れたときには、図示しないドグ片を介してスイッチＳＷ１がオンするようになっている。つまり、底受け部１１の中央部には、図示しない穴が設けられかつその穴から外方へ突出する図示しないドグ片が設けられ、携帯電話機４を底受け部１１に入れたときにその底部ＴＥがドグ片を押し、これによってスイッチＳＷ１がオンする。スイッチＳＷ１のオンによって、コネクタＣＮ３を介して外部から供給された充電用の電力が電源端子ＴＮ５Ｈ，６Ｈに現れる。なお、底受け部１１に携帯電話機４が投入されている場合には、第１の保持位置ＨＴ１または第２の保持位置ＨＴ２のいずれであっても、スイッチＳＷ１はオンする。【００３９】
図６および図７に示すように、背受け部１２には、その内部に合成樹脂からなるレバー３２が設けられ、レバー３２の先端部３２１が背受け部１２の内側から外側に向かって突出している。レバー３２は、その本体が軸３２３を中心に回動可能であり、図示しないバネによって、自由状態では図７に示す突出位置となるように付勢されている。上に述べた第１の保持位置ＨＴ１では、レバー３２は自由状態である。【００４０】
先端部３２１は、レバー３２の本体に対して、軸３２４において回動可能に支持されている。これにより、先端部３２１は、携帯電話機４の背部ＨＥと当接した状態で変位することが可能となるため、携帯電話機４が第１の保持位置ＨＴ１から第２の保持位置ＨＴ２に移る際に、携帯電話機４の背部ＨＥが先端部３２１の表面と擦れて傷が付くことが防止される。【００４１】
レバー３２の突出位置では、その作動端部３２２が信号端子ＴＮ１Ｈ〜４Ｈの端部に係合してそれを図７の右側へ移動させ、これによって、信号端子ＴＮ１Ｈ〜４Ｈは背受け部１２の内部に引き込まれた状態となる。この状態では、携帯電話機４を底受け部１１に投げ入れまたは載置しても、信号端子ＴＮ１Ｈ〜４Ｈと電極ＴＮ１Ｋ〜４Ｋとは離間した状態であり、それらが互いに接触することはない。【００４２】
そして、ユーザが携帯電話機４を背受け部１２に押しつけて第２の保持位置ＨＴ２とすることによって、携帯電話機４の背部ＨＥによってレバー３２が背受け部１２の内側へ押され、これと同時に作動端部３２２が図６の左方へ移動し、信号端子ＴＮ１Ｈ〜４Ｈが作動端部３２２による引き込みから開放される。その結果、信号端子ＴＮ１Ｈ〜４Ｈは、その弾性力によって背受け部１２に設けた穴から外方へ突出し、携帯電話機４の背部ＨＥの電極ＴＮ１Ｋ〜４Ｋに接触して接続される。【００４３】
次に、保持台３の回路について説明する。【００４４】
図１６に示すように、ＵＳＢ用の２つのコネクタＣＮ１，２は、それぞれのピンＰ１〜４が互いに並列に接続され、それぞれ、信号端子ＴＮ２Ｈ，３Ｈ，４Ｈまたは電源端子ＴＮ６Ｈに接続されている。電源端子ＴＮ６Ｈは、電源のマイナス側でもあり、接地ラインＧに接続される。【００４５】
充電用のコネクタＣＮ３は、プラス側のピンＰ１がスイッチＳＷ１を介して電源端子ＴＮ５Ｈに接続され、マイナス側のピンＰ２は接地ラインＧに接続される。【００４６】
コネクタＣＮ１，２の切り替え検出用のスイッチＳＷ２は、信号端子ＴＮ１Ｈに接続され、そのオンオフに応じて、信号端子ＴＮ１Ｈを接地ラインＧＬに接続する。したがって、携帯電話機４に対して「Ｌ」または「Ｈ」の信号Ｓ１を出力することが可能である。【００４７】
つまり、蓋部材４１を下端位置に下げた状態では、上に述べたようにコネクタＣＮ２のみの使用が可能であり、このときスイッチＳＷ２がオンして信号端子ＴＮ１Ｈは「Ｈ」となる。また、蓋部材４１を上端位置に上げた状態では、コネクタＣＮ１のみの使用が可能となり、このときスイッチＳＷ２がオフして信号端子ＴＮ１Ｈは「Ｌ」となる。したがって、信号端子ＴＮ１Ｈに現れる信号を用いることにより、２つのコネクタＣＮ１，２のいずれの側を使用しているかを認識できる。【００４８】
次に、保持台３と携帯電話機４とからなる情報処理システム１について説明する。【００４９】
図１７に示すように、携帯電話機４は、ＣＰＵ２０１、音声部２０２、無線通信部２０３、操作部２０４、表示部２０５、ＵＳＢコントローラ２０６、メモリ２０７、バス２０８、および電池回路２１０、その他、図示しないカメラ、指紋センサ、非接触通信用規格であるＦｅｌｉＣａ（登録商標）用チップ、その他のチップまたは電子回路を備えている。【００５０】
ＣＰＵ２０１は、各部の動作および全体の動作を制御する。ＣＰＵ２０１は、メモリ２０７に格納された種々のＯＳおよびアプリケーションプログラムを実行することによって、種々の処理を行い、また種々の機能を実現することができる。例えば、携帯電話機として必要な無線電話を初めとして、メールの送受信、インターネット通信、Ｗｅｂブラウザ、静止画撮像、動画撮像、カード決済、音楽データのライブラリ、ＵＳＢのホスト、ＵＳＢのスレーブ、データ入力装置、データ表示装置など、種々の機能を実現することが可能である。また、ＯＳとしてＷｉｎｄｏｗｓ（登録商標）をインストールしておくことによって、パーソナルコンピュータとしての機能が実現可能である。【００５１】
また、スイッチＳＷ２からの信号Ｓ１が、電極ＴＮ１を介してＣＰＵ２０１に入力されるようになっている。ＣＰＵ２０１は、信号Ｓ１の状態に応じて、ＵＳＢのホストまたはスレーブのいずれとして動作するかを判別する。つまり、例えば信号Ｓ１に応じてＣＰＵ２０１の内部にフラグが立てられ、そのフラグの状態に応じて、ＵＳＢのホストとして動作するかまたはスレーブとして動作するかが判断される。【００５２】
無線通信部２０３は、無線ネットワークにおける固定局（基地局）と通信可能であり、複数の固定局間を切り替えながら通信可能なハンドオーバー機能を有する。無線通信部２０３によって、複数の通信規格の遠距離無線通信および近距離無線通信を行うことができる。例えば、ＦＯＲＭＡ−Ｂ、ＷＣＤＭＡ、ＷｉＭＡＸ、無線ＬＡＮなどの通信規格に適応する。【００５３】
ＵＳＢコントローラ２０６は、ＵＳＢ−ＯＴＧの機能を有しており、ＵＳＢのホストまたはスレーブのいずれとしても動作可能である。上に述べたように、信号Ｓ１に応じて、、ＣＰＵ２０１がＵＳＢコントローラ２０６を制御する。【００５４】
メモリ２０７は、ＳＩＭカード、マイクロＳＤメモリ、その他の半導体メモリまたは磁気ディスクなどを含む。ＳＩＭカードには、例えば、電話番号、ＳＩＰアドレス、ＩＰアドレスなど、通信に関する情報やユーザの個人情報などが記憶される。マイクロＳＤメモリには、例えば、撮影した画像データ、送受信した電子メール、ネットワークからダウンロードしたデータ、電話帳のデータなどが記憶される。【００５５】
バス２０８は、種々の外部バスやメモリバス、またはＰＣＩバスなどである。バス２０８を介して、ＣＰＵ２０１と周辺素子との間でデータの転送が行われる。【００５６】
電池回路２１０は、内蔵された電池、電池への充電回路、安全回路などからなる。充電用の電極ＴＮ５Ｋ，６Ｋから供給された電力は、電池を充電し、また携帯電話機４の動作用の電源ともなる。【００５７】
保持台３によって携帯電話機４を第２の保持位置ＨＴ２で保持した状態では、電極ＴＮ１Ｋ〜４Ｋと信号端子ＴＮ１Ｈ〜４Ｈ、電極ＴＮ５Ｋ，６Ｋと電源端子ＴＮ５Ｈ，６Ｈとがそれぞれ互いに接続され、導通状態となる。また、スイッチＳＷ１がオンし、コネクタＣＮ３と電源端子ＴＮ５Ｈ，６Ｈとが接続状態となる。【００５８】
そこで、コネクタＣＮ３に充電用のコードを介して充電電源装置に接続することによって、携帯電話機４に電力を供給し、充電を行うことができる。また、コネクタＣＮ１またはコネクタＣＮ２にＵＳＢコードを介して他の電子機器に接続することにより、情報処理システム１はＵＳＢのホストとしてまたはスレーブとして動作する。【００５９】
例えば、外部の電子機器をＵＳＢコードを介してコネクタＣＮ１に接続したときは、携帯電話機４はホスト（主装置）として動作し、外部の電子機器はスレーブ（従装置）として動作する。外部の電子機器は、例えば、携帯電話機４に対する入力装置、出力装置、またはストレージ装置として動作する。【００６０】
また、外部の電子機器をＵＳＢコードを介してコネクタＣＮ２に接続したときは、携帯電話機４はスレーブとして動作し、外部の電子機器はマスタとして動作する。携帯電話機４は、例えば、ストレージ装置または通信装置として動作する。【００６１】
このように、本実施形態によると、形状の異なる複数種類のコネクタＣＮ１，２を備えることによって、例えばホストまたはスレーブのいずれかを簡単に切り替えることができる。しかも、コネクタＣＮ１，２の接続口の開閉と連動するスイッチＳＷ２によって切り替え状態を検出するので、その切り替えを間違いなく容易に自動的に行うことができる。【００６２】
２個のコネクタＣＮ１，２が、それぞれの接続口がほぼ同じ平面上において同じ方向を向いて配置されるので、蓋部材４１の取り付けおよび開閉が容易であり、また接続口へのＵＳＢケーブルの接続も容易である。【００６３】
一方のコネクタＣＮ１の寸法が他方のコネクタＣＮ２の寸法よりも大きいので、大きい方のコネクタＣＮ１の接続口に合わせて蓋部材４１の外形寸法を決定することにより、小さい方のコネクタＣＮ２については蓋部材４１に開口部４１３を設けることによってその接続口に合わせることができる。【００６４】
上に述べた実施形態において、検出センサであるスイッチＳＷ１にマイクロスイッチを用いたが、他の形式のスイッチ、または近接センサ、光電センサなど、種々のセンサを用いることが可能である。【００６５】
上に述べた実施形態において、蓋部材４１をスライド移動するように設けたが、回動移動するように設けてもよい。コネクタＣＮ１，２をそれぞれ１個ずつ設けたが、それぞれ２個以上設けてもよい。その場合には、同じ種類のコネクタＣＮについて同時に複数の接続口が利用可能となるが、いずれもホスト用かまたはスレーブ用のいずれかに統一されるので、スイッチＳＷ２の信号Ｓ１に応じて切り替えて制御できる。【００６６】
また、２種類ではなく、３種類以上のコネクタＣＮを設けた場合には、その内の１種類のみのコネクタＣＮが接続可能となるようにし、信号Ｓ１によって接続可能なコネクタＣＮを識別して制御を行えばよい。【００６７】
上に述べた実施形態においては、ＵＳＢ用のコネクタＣＮ１，２と充電用のコネクタＣＮ３とを別個に設けたが、ＵＳＢ用と充電用とを１つのコネクタで兼用することも可能である。上の実施形態では、電子機器として携帯電話機４を例にあげて説明したが、携帯電話機４以外の携帯型情報機器、携帯端末機、通信装置、電子装置などに適用することが可能である。【００６８】
その他、信号端子ＴＮ１Ｈ〜４Ｈ、電源端子ＴＮ５Ｈ，６Ｈ、コネクタＣＮ１，２、プリント基板３１、底受け部１１、背受け部１２、アーム部１３、携帯電話機４、保持台３、または情報処理システム１の全体または各部の構成、構造、形状、寸法、材質、個数、制御内容、制御タイミング、プリント基板３１の取り付け方法などは、本発明の趣旨に沿って適宜変更することができる。
【図１】
2009078063.tif 000003
【図２】
2009078063.tif 000004
【図３】
2009078063.tif 000005
【図４】
2009078063.tif 000006
【図５】
2009078063.tif 000007
【図６】
2009078063.tif 000008
【図７】
2009078063.tif 000009
【図８】
2009078063.tif 000010
【図９】
2009078063.tif 000011
【図１０】
2009078063.tif 000012
【図１１】
2009078063.tif 000013
【図１２】
2009078063.tif 000014
【図１３】
2009078063.tif 000015
【図１４】
2009078063.tif 000016
【図１５】
2009078063.tif 000017
【図１６】
2009078063.tif 000018
【図１７】
2009078063.tif 000019
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
電子機器を着脱可能に保持するための保持台であって、
保持台本体と、
前記保持台本体に設けられ、前記電子機器を保持する保持位置において前記電子機器と接続される信号端子と、
プリント基板の表面に取り付けられ、前記信号端子と接続されかつ他の電子機器と接続するための第１のコネクタと、
を有し、
前記プリント基板は、前記第１のコネクタを下側に保持した状態で当該第１のコネクタの接続口が前記保持台本体の背面側に臨むように、かつ、前面側の端縁部が背面側の端縁部よりもオフセット量分低くなった姿勢で、前記保持台本体の底部に保持されており、
前記オフセット量は前記第１のコネクタの厚みよりも小さく設定されている、
ことを特徴とする保持台。
【請求項２】
前記保持台本体は、その背面部に前記プリント基板に対して垂直な壁面を有しており、
前記第１のコネクタの接続口は、前記壁面に設けられた開口部に開口する、
請求項１記載の保持台。
【請求項３】
前記プリント基板には、前記第１のコネクタが取り付けられた表面とは反対側の表面の同じ位置に、第２のコネクタが取り付けられており、
前記第２のコネクタの接続口は、前記第１のコネクタの接続口の上方において前記壁面に設けられた開口部に開口する、
請求項２記載の保持台。
【請求項４】
前記信号端子は、前記プリント基板に取り付けられている、
請求項３記載の保持台。
【請求項５】
前記第１のコネクタはＵＳＢ−Ａ端子であり、前記第２のコネクタはＵＳＢ−Ｂ端子である、
請求項３記載の保持台。
【請求項６】
前記電子機器は携帯電話機であり、
請求項１記載の保持台と、
前記保持台に保持された携帯電話機と、
からなることを特徴とする情報処理システム。
【国際調査報告】
2009078063.tif 000020
2009078063.tif 000021